(57)【要約】【課題】分割振動をさらに低減させることができるオブリコーン型の細長スピーカユニットを提供する。【解決手段】振動板１１は音の放出面から見て短手方向と長手方向とを有する細長形状であり、長手方向に配列した状態で一体的に形成されたコーン型の振動部１２ａ，１２ｂを有する。振動部１２ａ，１２ｂは駆動中心であるボイスコイルが巻回されたボビン１５ａ，１５ｂの位置を振動部１２ａ，１２ｂの長手方向の中央位置から中心線ＣＬ側に偏位させたオブリコーン型である。【選択図】図１
2007288767.tif 000002
【特許請求の範囲】
【請求項１】
音の放出面から見て短手方向と長手方向とを有する細長形状である細長スピーカユニットにおいて、
それぞれ前記短手方向と前記長手方向とを有する細長形状であり、前記長手方向に配列した状態で一体的に形成されたコーン型の第１及び第２の振動部を有する振動板と、
前記第１の振動部の駆動中心を前記第１の振動部の前記長手方向の中央位置から前記長手方向に偏位させた状態で前記第１の振動部に取り付けられ、前記第１の振動部を駆動する第１の駆動部と、
前記第２の振動部の駆動中心を前記第２の振動部の前記長手方向の中央位置から前記長手方向に偏位させた状態で前記第２の振動部に取り付けられ、前記第２の振動部を駆動する第２の駆動部と
を備えることを特徴とする細長スピーカユニット。
【請求項２】
前記第１，第２の駆動部はそれぞれ前記長手方向の互いに内側に偏位させた状態で前記第１，第２の振動部に取り付けられていることを特徴とする請求項１記載の細長スピーカユニット。
【請求項３】
前記第１，第２の駆動部はそれぞれ前記長手方向の互いに外側に偏位させた状態で前記第１，第２の振動部に取り付けられていることを特徴とする請求項１記載の細長スピーカユニット。
【請求項４】
前記第１の駆動部は前記長手方向の外側に偏位させた状態で前記第１の振動部に取り付けられ、前記第２の駆動部は前記長手方向の内側に偏位させた状態で前記第２の振動部に取り付けられていることを特徴とする請求項１記載の細長スピーカユニット。
【請求項５】
前記第１の振動部の前記長手方向の長さが前記第２の振動部の前記長手方向の長さよりも長いことを特徴とする請求項２記載の細長スピーカユニット。
【請求項６】
前記第１の振動部の前記長手方向の長さが前記第２の振動部の前記長手方向の長さよりも長いことを特徴とする請求項３記載の細長スピーカユニット。
【請求項７】
前記第２の振動部の前記長手方向の長さが前記第１の振動部の前記長手方向の長さよりも長いことを特徴とする請求項４記載の細長スピーカユニット。
【請求項８】
請求項２記載の細長スピーカユニットを、表示画面周囲のフロントパネルの左右部それぞれに前記長手方向を上下方向として配置したことを特徴とする画像表示装置。
【請求項９】
請求項３記載の細長スピーカユニットを、表示画面周囲のフロントパネルの下部の中央部に前記長手方向を左右方向として配置したことを特徴とする画像表示装置。
【請求項１０】
請求項４記載の細長スピーカユニットを、表示画面周囲のフロントパネルの下部の左右端部それぞれに、前記第１の振動部が前記下部の左右方向の内側に前記第２の振動部が前記左右方向の外側となるように前記長手方向を左右方向として配置したことを特徴とする画像表示装置。
【請求項１１】
請求項５記載の細長スピーカユニットを、表示画面周囲のフロントパネルの下部の左右端部それぞれに、前記第１の振動部が前記下部の左右方向の内側に前記第２の振動部が前記左右方向の外側となるように前記長手方向を左右方向として配置したことを特徴とする画像表示装置。
【請求項１２】
請求項５記載の細長スピーカユニットを、表示画面周囲のフロントパネルの下部の左右端部それぞれに、前記第１の振動部が前記下部の左右方向の外側に前記第２の振動部が前記左右方向の内側となるように前記長手方向を左右方向として配置したことを特徴とする画像表示装置。
【請求項１３】
請求項５記載の細長スピーカユニットを、表示画面周囲のフロントパネルの左右部それぞれに、前記第１の振動部が前記左右部の下側に前記第２の振動部が前記左右部の上側となるように前記長手方向を上下方向として配置したことを特徴とする画像表示装置。
【請求項１４】
請求項６記載の細長スピーカユニットを、表示画面周囲のフロントパネルの左右部それぞれに前記長手方向を上下方向として配置したことを特徴とする画像表示装置。
【請求項１５】
請求項７記載の細長スピーカユニットを、表示画面周囲のフロントパネルの下部の左右端部それぞれに、前記第２の振動部が前記下部の左右方向の外側に前記第１の振動部が前記左右方向の内側となるように前記長手方向を左右方向として配置したことを特徴とする画像表示装置。
【発明の詳細な説明】
【技術分野】
【０００１】
本発明は、本発明は、細長スピーカユニット及び細長スピーカユニットを装着した画像表示装置に関する。
【背景技術】
【０００２】
近年、テレビジョン受像機においては、液晶表示装置（ＬＣＤ）やプラズマディスプレイパネル（ＰＤＰ）のようなフラットパネルディスプレイを中心として画面の大型化が進んでいる。大型の画面を有するテレビジョン受像機を部屋に設置する場合に設置するスペースをできるだけ小さくするため、画面以外のフロントパネルの部分の面積を極力小さくしたデザインが求められる。従って、スピーカユニット（以下、単にスピーカと略記することがある）を装着する画面周囲のフロントパネルの幅は非常に狭くなっている。なお、通常、スピーカは画面左右部または画面下部のフロントパネル内部に装着される。
【０００３】
このような幅の狭い画面周囲のフロントパネル内部に通常の円形のスピーカを装着するには、スピーカの振動板の直径は極めて小さくならざるを得ない。小口径のスピーカは十分な音圧を得ることが困難であり、高音質を得ることができない。そこで、特許文献１に記載のような振動板を楕円（長円）形としたスピーカを用いれば、振動板の面積を円形の振動板よりも大きくすることができるので、音圧を増大させることが可能となる。特許文献２や特許文献３に記載のように、振動板を楕円形ではなくほぼ長方形としたスピーカでも同様の効果を得ることができる。楕円形または長方形のような細長い形状の振動板を有するスピーカを細長スピーカと総称することとする。
【０００４】
ところで、一般的なコーン紙を備えるダイナミック型スピーカにおいては、いくつかの周波数においてコーン紙が共振して音声発生のための的確な振動が行えなくなるいわゆる分割振動を起こす。分割振動が発生すると再生周波数特性に山や谷が生じて再生音に歪や異常音が発生する。分割振動を減らすための工夫が種々提案されており、その１つとして、特許文献４に記載のように、ボイスコイルの中心軸と振動板（コーン紙）の中心軸とをずらしたいわゆるオブリコーン型スピーカがある。オブリコーン型スピーカにおいては、分割振動が発生する共振周波数を分散させることができるので、再生周波数特性をオブリコーン型でない通常のスピーカと比較して平坦にすることができ、再生音の歪を少なくすることができる。
前述した細長スピーカにおいても分割振動を減らすためオブリコーン型とすることは有効である。特許文献５にはオブリコーン型の細長スピーカが記載されている。
【０００５】
【特許文献１】特開平６−６９０８６号公報
【特許文献２】特開平８−１５４２９６号公報
【特許文献３】実開平６−１３２９４号公報
【特許文献４】特開平９−２８４８８６号公報
【特許文献５】実公平７−９４８５号公報
【発明の開示】
【発明が解決しようとする課題】
【０００６】
以上のように、テレビジョン受像機のような画像表示装置における画面周囲の幅の狭いフロントパネル内部に装着するスピーカとしては、振動板の面積をより大きくして音圧を増大させると共に分割振動を減らすためオブリコーン型の細長スピーカを用いることが好ましい。音質向上のため、オブリコーン型の細長スピーカの分割振動をさらに低減させることが望まれる。また、オブリコーン型の細長スピーカを画像表示装置に装着する場合には、オブリコーン型の細長スピーカ独特の音の放射パターンを考慮して細長スピーカの装着位置や向きを最適に設定する必要がある。オブリコーン型の細長スピーカを、その細長スピーカ固有の放射パターンを考慮した最適な位置や向きにした状態で画像表示装置に装着しないと、音の広がり感や定位感を損なってしまう。そこで、オブリコーン型の細長スピーカの特長を最大限に生かした画像表示装置とすることが望まれる。
【０００７】
本発明はこのような問題点に鑑みなされたものであり、本発明の目的は、分割振動をさらに低減させることができるオブリコーン型の細長スピーカユニットを提供することである。本発明の他の目的は、画像表示装置に装着して使用する場合に音の広がり感や定位感を向上させることができる細長スピーカユニットを提供することである。本発明のさらに他の目的は、細長スピーカユニットを装着した画像表示装置であり、分割振動が少なく高音質とすることができる画像表示装置を提供することである。本発明のさらにまた他の目的は、細長スピーカユニットを装着した画像表示装置であり、オブリコーン型の細長スピーカの放射パターンを考慮して音の広がり感や定位感を向上させることができる画像表示装置を提供することである。
【課題を解決するための手段】
【０００８】
本発明は、上述した従来の技術の課題を解決するため、音の放出面から見て短手方向と長手方向とを有する細長形状である細長スピーカユニットにおいて、それぞれ前記短手方向と前記長手方向とを有する細長形状であり、前記長手方向に配列した状態で一体的に形成されたコーン型の第１及び第２の振動部を有する振動板と、前記第１の振動部の駆動中心を前記第１の振動部の前記長手方向の中央位置から前記長手方向に偏位させた状態で前記第１の振動部に取り付けられ、前記第１の振動部を駆動する第１の駆動部と、前記第２の振動部の駆動中心を前記第２の振動部の前記長手方向の中央位置から前記長手方向に偏位させた状態で前記第２の振動部に取り付けられ、前記第２の振動部を駆動する第２の駆動部とを備えることを特徴とする細長スピーカユニットを提供する。
この構成の１つ（第１の構成例）として、前記第１，第２の駆動部はそれぞれ前記長手方向の互いに内側に偏位させた状態で前記第１，第２の振動部に取り付けられていることを特徴とする細長スピーカユニットを提供する。
上記の構成の他の１つ（第２の構成例）として、前記第１，第２の駆動部はそれぞれ前記長手方向の互いに外側に偏位させた状態で前記第１，第２の振動部に取り付けられていることを特徴とする細長スピーカユニットを提供する。
上記の構成のさらに他の１つ（第３の構成例）として、前記第１の駆動部は前記長手方向の外側に偏位させた状態で前記第１の振動部に取り付けられ、前記第２の駆動部は前記長手方向の内側に偏位させた状態で前記第２の振動部に取り付けられていることを特徴とする細長スピーカユニットを提供する。
上記の第１の構成例を発展させた第４の構成例として、前記第１の振動部の前記長手方向の長さが前記第２の振動部の前記長手方向の長さよりも長いことを特徴とする細長スピーカユニットを提供する。
上記の第２の構成例を発展させた第５の構成例として、前記第１の振動部の前記長手方向の長さが前記第２の振動部の前記長手方向の長さよりも長いことを特徴とする細長スピーカユニットを提供する。
上記の第３の構成例を発展させた第６の構成例として、前記第２の振動部の前記長手方向の長さが前記第１の振動部の前記長手方向の長さよりも長いことを特徴とする細長スピーカユニットを提供する。
【０００９】
本発明は、上述した従来の技術の課題を解決するため、第１の構成例の細長スピーカユニットを、表示画面周囲のフロントパネルの左右部それぞれに前記長手方向を上下方向として配置したことを特徴とする画像表示装置を提供する。第２の構成例の細長スピーカユニットを、表示画面周囲のフロントパネルの下部の中央部に前記長手方向を左右方向として配置したことを特徴とする画像表示装置を提供する。第３の構成例の細長スピーカユニットを、表示画面周囲のフロントパネルの下部の左右端部それぞれに、前記第１の振動部が前記下部の左右方向の内側に前記第２の振動部が前記左右方向の外側となるように前記長手方向を左右方向として配置したことを特徴とする画像表示装置を提供する。
また、第４の構成例の細長スピーカユニットを、表示画面周囲のフロントパネルの下部の左右端部それぞれに、前記第１の振動部が前記下部の左右方向の内側に前記第２の振動部が前記左右方向の外側となるように前記長手方向を左右方向として配置したことを特徴とする画像表示装置を提供する。第４の構成例の細長スピーカユニットを、表示画面周囲のフロントパネルの下部の左右端部それぞれに、前記第１の振動部が前記下部の左右方向の外側に前記第２の振動部が前記左右方向の内側となるように前記長手方向を左右方向として配置したことを特徴とする画像表示装置を提供する。第４の構成例の細長スピーカユニットを、表示画面周囲のフロントパネルの左右部それぞれに、前記第１の振動部が前記左右部の下側に前記第２の振動部が前記左右部の上側となるように前記長手方向を上下方向として配置したことを特徴とする画像表示装置を提供する。
さらに、第５の構成例の細長スピーカユニットを、表示画面周囲のフロントパネルの左右部それぞれに前記長手方向を上下方向として配置したことを特徴とする画像表示装置を提供する。第６の構成例の細長スピーカユニットを、表示画面周囲のフロントパネルの下部の左右端部それぞれに、前記第２の振動部が前記下部の左右方向の外側に前記第１の振動部が前記左右方向の内側となるように前記長手方向を左右方向として配置したことを特徴とする画像表示装置を提供する。
【発明の効果】
【００１０】
本発明の細長スピーカユニットによれば、分割振動をさらに低減させることがで、音質を向上させることができる。また、本発明の細長スピーカユニットによれば、画像表示装置に装着して使用する場合に音の広がり感や定位感を向上させることができる。
本発明の画像表示装置によれば、分割振動が少なく高音質の画像表示装置を得ることができる。また、本発明の画像表示装置によれば、オブリコーン型の細長スピーカの放射パターンを考慮して音の広がり感や定位感を向上させた画像表示装置を得ることができる。
【発明を実施するための最良の形態】
【００１１】
＜第１実施形態＞
図１は本発明の第１実施形態に係る細長スピーカユニットを示す正面図、図２は図１の細長スピーカユニットの側面部分断面図である。図１，図２に示すように、第１実施形態の細長スピーカユニット１０は１つの振動板１１を有する。振動板１１は、音の放出面である正面から見て角を落とした長方形であり、同じ大きさの２つの振動部１２ａ，１２ｂを有する。振動部１２ａ，１２ｂは連結部１２ｃによって連結されている。２つの振動部１２ａ，１２ｂと連結部１２ｃとが一体となって１つの振動板１１を形成している。第１実施形態及び後述する他の実施形態の全てにおいて長方形の代わりに楕円形であってもよい。本発明は振動板及び２つの振動部それぞれが音の放出面から見て短手方向と長手方向とを有する細長形状であればよい。
【００１２】
振動板１１の外周端部はエッジ１３によりフレーム１４に固着されている。エッジ１３は振動板１１とは別体である場合と振動板１１の外周端部の一部である場合とがある。振動部１２ａ，１２ｂは、外周端部から振動板１１の裏面側に設けられているボイスコイル（図示せず）が巻回された円筒状のボビン１５ａ，１５ｂが固着されている開口部まで順次深さが深くなっていく“すり鉢状”のコーン型となっている。振動部１２ａ，１２ｂには、ボビン１５ａ，１５ｂが固着されている開口部を塞ぐようにダストキャップ１６ａ，１６ｂが装着されている。
【００１３】
図１において、振動板１１（振動部１２ａ，１２ｂ）の短手方向（図の上下方向）を幅方向、長手方向（図の左右方向）を長さ方向と称することとする。なお、振動部１２ａ，１２ｂが長方形であれば、短手方向は短辺方向、長手方向は長辺方向であり、振動部１２ａ，１２ｂが楕円形であれば、短手方向は短径方向、長手方向は長径方向である。振動板１１の長さ方向両端部におけるエッジ１３の中心を通る一対の一点鎖線Ｌ１，Ｌ４間の距離を振動板１１の長さＤとする。図１より分かるように、振動部１２ａは、ボビン１５ａの位置が振動部１２ａの長さ方向において連結部１２ｃの中心線ＣＬ側である内側に偏位しているオブリコーン型となっている。ここでは、中心線ＣＬは振動板１１の長さＤの中心線である。また、振動部１２ｂも、ボビン１５ｂの位置が振動部１２ｂの長さ方向において中心線ＣＬ側である内側に偏位しているオブリコーン型となっている。ボビン１５ａ，１５ｂの位置は幅方向の中心に位置している。
【００１４】
ボイスコイルが巻回されたボビン１５ａ，１５ｂの位置は振動部１２ａ，１２ｂをそれぞれ振動させる際の駆動中心である。従って、細長スピーカユニット１０は、振動部１２ａ，１２ｂの駆動中心が中心線ＣＬ側に偏位し、駆動中心が振動部１２ａ，１２ｂそれぞれで長さ方向の中央から中心線ＣＬ側にずれたオブリコーン型である。
【００１５】
振動部１２ａ，１２ｂは中心線ＣＬに対して対称となるように長さ方向に配置されている。振動部１２ａにおけるボビン１５ａの中心点を通る線をＬ２、振動部１２ｂにおけるボビン１５ｂの中心点を通る線をＬ３とする。第１実施形態の細長スピーカユニット１０においては、線Ｌ１と線Ｌ２との間隔Ｄ１１、線Ｌ２と中心線ＣＬとの間隔Ｄ１２、中心線ＣＬと線Ｌ３との間隔Ｄ１３、線Ｌ３と線Ｌ４との間隔Ｄ１４は次の関係を有する。
Ｄ１１＝Ｄ１４，Ｄ１２＝Ｄ１３，Ｄ１１＞Ｄ１２，Ｄ１３＜Ｄ１４
【００１６】
図２に示すように、フレーム１４の下端部には中央部に開口部が形成されたトッププレート１７がかしめ及び接着剤等により固着されている。ボトムヨーク１９にはポールピース１１０が一体的に設けられており、ボトムヨーク１９とポールピース１１０とは断面が略Ｔ字状となっている。ボビン１５ａの下端部にはポールピース１１０の先端部が挿入されている。ボビン１５ａは、トッププレート１７に形成された開口部の端部とポールピース１１０との間に形成された磁気ギャップに挿通されている。トッププレート１７には環状のマグネット１８が接着剤により固着され、マグネット１８にはボトムヨーク１９が接着剤により固着されている。フレーム１４，トッププレート１７，マグネット１８，ボトムヨーク１９は、細長スピーカユニット１０における固定部である。
【００１７】
上記のように振動部１２ａを構成するコーン紙に形成された開口部にはボビン１５ａが固着され、ダストキャップ１６ａが開口部を覆っている。なお、振動部１２ａは紙以外の材質で形成してもよく、材質は限定されない。環状のダンパ１１１の内周端部はボビン１５ａの外周面に接着剤により固着され、外周端部はフレーム１４に接着剤により固着されている。ボイスコイルが巻回されたボビン１５ａは、ダンパ１１１と、振動部１２ａのコーン紙を介したエッジ１３とによって、フレーム１４に対して弾性的に支持されている。振動部１２ａ，エッジ１３，ボビン１５ａ，ダストキャップ１６ａ，ダンパ１１１は、細長スピーカユニット１０における可動部である。ボイスコイルが巻回されたボビン１５ａ，トッププレート１７，マグネット１８，ボトムヨーク１９，ポールピース１１０は、振動部１２ａ，１２ｂを駆動する駆動部である。
【００１８】
ここでは、振動部１２ａ側の構成のみ示したが、振動部１２ｂ側の構成も同じである。第１実施形態の細長スピーカユニット１０においては、フレーム１４は振動部１２ａ，１２ｂに対して共通の部材であり、他の部材は振動部１２ａ，１２ｂそれぞれで独立に設けられている。
【００１９】
以上説明した第１実施形態の細長スピーカユニット１０によれば、１つの振動板１１に２つの振動部１２ａ，１２ｂを有し、振動部１２ａ，１２ｂはそれぞれオブリコーン型であるので、分割振動を従来のスピーカユニットと比較して低減させることができる。
【００２０】
次に、第１実施形態の細長スピーカユニット１０独特の音の放射パターンを考慮し、細長スピーカユニット１０を画像表示装置に対してどのように装着して使用するのが好適であるかについて説明する。図３（Ａ）は細長スピーカユニット１０を長さ方向の端部から見た概略平面図であり、図３（Ｂ）は細長スピーカユニット１０の長さ方向を縦方向に配置して側面から見た概略平面図である。一般的に細長スピーカユニットの指向性は長さ方向よりも幅方向の方が広いので、細長スピーカユニット１０においても、細長スピーカユニット１０から発せられる音の放射パターンは長さ方向の端部から見ると図３（Ａ）に示すような放射パターンＰ１となる。振動部１２ａ，１２ｂはそれぞれボビン１５ａ，１５ｂが中心線ＣＬ側に偏位しているオブリコーン型であるので、図３（Ｂ）に示すように、振動部１２ａから発せられる音の放射パターンは側面から見ると上方に偏る放射パターンＰ１２ａとなり、振動部１２ｂａから発せられる音の放射パターンは側面から見ると下方に偏る放射パターンＰ１２ｂとなる。
【００２１】
第１実施形態の細長スピーカユニット１０は図３（Ａ），（Ｂ）に示すような放射パターンＰ１，Ｐ１２ａ，Ｐ１２ｂを有するので、図４に示すように、細長スピーカユニット１０を画像表示装置１００の表示画面（以下、画面と略記する）１０１の左右に配置することが好ましい。具体的には、細長スピーカユニット１０をフロントパネル１０２の左右部１０２Ｌ，１０２Ｒに長さ方向を上下方向として装着して使用することが好ましい。改めて説明するまでもないが、細長スピーカユニット１０は左右部１０２Ｌ，１０２Ｒの内部に装着される。画像表示装置１００を外部から見たとき細長スピーカユニット１０を視認できないことが通常であるが、ここでは細長スピーカユニット１０の装着位置や向きを概略的に示すため細長スピーカユニット１０を視認できる状態で図示している。フロントパネル１０２には細長スピーカユニット１０を装着する部分に対応して音放出用の細かな孔が形成され、細長スピーカユニット１０から発せられた音はその孔から放出される。
【００２２】
図４には、細長スピーカユニット１０から発生される音の方向を矢印にて概略的に示している。ハッチングを付していない矢印は、図３（Ａ）で説明した放射パターンＰ１に基づいて音が左右方向に広がる状態を示している。ハッチングを付した矢印は、図３（Ｂ）で説明した振動部１２ａ，１２ｂがオブリコーン型であることに起因した放射パターンＰ１２ａ，Ｐ１２ｂに基づいて音が上下に広がる状態を示している。このように、細長スピーカユニット１０をフロントパネル１０２の左右部１０２Ｌ，１０２Ｒに装着した画像表示装置１００においては、左右の細長スピーカユニット１０から上下左右に音が広がることになるので、優れた音の広がり感を得ることができる。
【００２３】
＜第２実施形態＞
第２実施形態において、第１実施形態との相違点を中心に説明し、共通部分の説明を適宜省略することとする。図５は本発明の第２実施形態に係る細長スピーカユニットを示す正面図である。図５に示すように、第２実施形態の細長スピーカユニット２０は１つの振動板２１を有する。振動板２１は、音の放出面である正面から見て角を落とした長方形であり、同じ大きさの２つのコーン型の振動部２２ａ，２２ｂを有する。振動部２２ａ，２２ｂは連結部２２ｃによって連結されている。振動板２１の外周端部はエッジ２３によりフレーム２４に固着されている。
【００２４】
図５より分かるように、振動部２２ａは、ボビン２５ａ及びダストキャップ２６ａの位置が振動部２２ａの長さ方向において連結部２２ｃの中心線ＣＬとは反対側である外側に偏位しているオブリコーン型となっている。ここでは中心線ＣＬは振動板２１の長さＤの中心線である。また、振動部２２ｂも、ボビン２５ｂ及びダストキャップ２６ｂの位置が振動部２２ｂの長さ方向において中心線ＣＬとは反対側である外側に偏位しているオブリコーン型となっている。振動部２２ａ，２２ｂは中心線ＣＬに対して対称となるように長さ方向に配置されている。第２実施形態の細長スピーカユニット２０においては、線Ｌ１と線Ｌ２との間隔Ｄ２１、線Ｌ２と中心線ＣＬとの間隔Ｄ２２、中心線ＣＬと線Ｌ３との間隔Ｄ２３、線Ｌ３と線Ｌ４との間隔Ｄ２４は次の関係を有する。
Ｄ２１＝Ｄ２４，Ｄ２２＝Ｄ２３，Ｄ２１＜Ｄ２２，Ｄ２３＞Ｄ２４
【００２５】
この第２実施形態の細長スピーカユニット２０においても、第１実施形態の細長スピーカユニット１０と同様、振動部２２ａ，２２ｂはそれぞれ駆動中心を振動部２２ａ，２２ｂの長さ方向の中央から偏位させたオブリコーン型であるので、分割振動を従来のスピーカユニットと比較して低減させることができる。
【００２６】
次に、第２実施形態の細長スピーカユニット２０独特の音の放射パターンを考慮し、細長スピーカユニット２０を画像表示装置に対してどのように装着して使用するのが好適であるかについて説明する。細長スピーカユニット２０から発せられる音の放射パターンは長さ方向の端部から見ると第１実施形態と同じであり、図３（Ａ）に示すような放射パターンＰ１である。図６は細長スピーカユニット２０の長さ方向を横方向に配置して側面から見た概略平面図である。振動部２２ａ，２２ｂはそれぞれボビン２５ａ，２５ｂ（駆動中心）が長さ方向の外側に偏位しているオブリコーン型であるので、振動部２２ａから発せられる音の放射パターンは図６の内側（中心線ＣＬ側）に偏る放射パターンＰ２２ａとなり、振動部２２ｂａから発せられる音の放射パターンも内側（中心線ＣＬ側）に偏る放射パターンＰ２２ｂとなる。
【００２７】
第２実施形態の細長スピーカユニット２０は図６に示すような放射パターンＰ２２ａ，Ｐ２２ｂを有するので、図７に示すように、細長スピーカユニット２０を画像表示装置２００の画面２０１の下に配置することが好ましい。具体的には、細長スピーカユニット２０をフロントパネル２０２の下部２０２Ｂの中央部に長さ方向を左右方向として装着してセンタスピーカとして使用することが好ましい。細長スピーカユニット２０においては、振動部２２ａ，２２ｂから発せられる音の放射パターンＰ２２ａ，Ｐ２２ｂは共に中心線ＣＬ側に偏っているので、図７に示すように、放射パターンＰ２２ａ，Ｐ２２ｂが合成されて、ハッチングを付した矢印で示すように音が細長スピーカユニット２０の長さ方向の中心から前方に放出されることになる。図７では、放射パターンＰ１に基づく音の放出状態の図示を省略している。
【００２８】
従って、細長スピーカユニット２０をフロントパネル２０２１の下部２０２Ｂの中央に装着した画像表示装置２００においては、優れた音の定位感を得ることができる。なお、左右部２０２Ｌ，２０２Ｒに装着する細長スピーカユニットは特に限定されるものではないが、例えば第１実施形態の細長スピーカユニット１０を用いればよい。
【００２９】
＜第３実施形態＞
第３実施形態において、第１実施形態との相違点を中心に説明し、共通部分の説明を適宜省略することとする。図８は本発明の第３実施形態に係る細長スピーカユニットを示す正面図である。図８に示すように、第３実施形態の細長スピーカユニット３０は１つの振動板３１を有する。振動板３１は、音の放出面である正面から見て角を落とした長方形であり、同じ大きさの２つのコーン型の振動部３２ａ，３２ｂを有する。振動部３２ａ，３２ｂは連結部３２ｃによって連結されている。振動板３１の外周端部はエッジ３３によりフレーム３４に固着されている。
【００３０】
図８より分かるように、振動部３２ａは、ボビン３５ａ及びダストキャップ３６ａの位置が振動部３２ａの長さ方向において連結部３２ｃの中心線ＣＬとは反対側である外側に偏位しているオブリコーン型となっている。中心線ＣＬは振動板３１の長さＤの中心線である。一方、振動部３２ｂは、ボビン３５ｂ及びダストキャップ３６ｂの位置が振動部３２ｂの長さ方向において中心線ＣＬ側である内側に偏位しているオブリコーン型となっている。第３実施形態の細長スピーカユニット３０においては、線Ｌ１と線Ｌ２との間隔Ｄ３１、線Ｌ２と中心線ＣＬとの間隔Ｄ３２、中心線ＣＬと線Ｌ３との間隔Ｄ３３、線Ｌ３と線Ｌ４との間隔Ｄ３４は次の関係を有する。
Ｄ３１＝Ｄ３３，Ｄ３２＝Ｄ３４，Ｄ３１＜Ｄ３２，Ｄ３３＜Ｄ３４
【００３１】
この第３実施形態の細長スピーカユニット３０においても、第１実施形態の細長スピーカユニット１０と同様、振動部３２ａ，３２ｂはそれぞれ駆動中心を振動部３２ａ，３２ｂの長さ方向の中央から偏位させたオブリコーン型であるので、分割振動を従来のスピーカユニットと比較して低減させることができる。
【００３２】
次に、第３実施形態の細長スピーカユニット３０独特の音の放射パターンを考慮し、細長スピーカユニット３０を画像表示装置に対してどのように装着して使用するのが好適であるかについて説明する。細長スピーカユニット２０から発せられる音の放射パターンは長さ方向の端部から見ると第１実施形態と同じであり、図３（Ａ）に示すような放射パターンＰ１である。図９は細長スピーカユニット３０の長さ方向を横方向に配置して側面から見た概略平面図である。振動部３２ａ，３２ｂはそれぞれボビン３５ａ，３５ｂ（駆動中心）が長さ方向の一方の端部側に偏位しているオブリコーン型であるので、振動部３２ａ，３２ｂから発せられる音の放射パターンは図９の右側に偏る放射パターンＰ３２ａ，Ｐ３２ｂとなる。
【００３３】
第３実施形態の細長スピーカユニット３０は図９に示すような放射パターンＰ３２ａ，Ｐ３２ｂを有するので、図１０に示すように、細長スピーカユニット３０を画像表示装置３００の画面３０１の下に配置することが好ましい。具体的には、細長スピーカユニット３０をフロントパネル３０２の下部３０２Ｂの左右方向の端部に長さ方向を左右方向として装着して使用することが好ましい。さらに具体的には、細長スピーカユニット３０を、ボビン３５ａ，３５ｂが右側（内側）に偏位した向きとして左スピーカとして下部３０２Ｂの左端部に装着し、ボビン３５ａ，３５ｂが左側（内側）に偏位した向きとして右スピーカとして下部３０２Ｂの右端部に装着する。このようにすると、左スピーカとしての細長スピーカユニット３０からは、ハッチングを付した矢印で示すように音が左方向に放出され、右スピーカとしての細長スピーカユニット３０からは、ハッチングを付した矢印で示すように音が右方向に放出されることになる。
【００３４】
図１０に示す画像表示装置３００においては、下部３０２Ｂの中央部にセンタスピーカ３０３を装着している。センタスピーカ３０３は必須ではないが、設ける方が好ましい。細長スピーカユニット３０をフロントパネル３０２の下部３０２Ｂの左右端部に図１０のように装着すれば、優れた音の広がり感を得ることができる。センタスピーカ３０３も装着すれば画面３０１中央における音の定位感を向上させることができる。
【００３５】
＜第４実施形態＞
第４実施形態において、第１実施形態との相違点を中心に説明し、共通部分の説明を適宜省略することとする。図１１は本発明の第４実施形態に係る細長スピーカユニットを示す正面図である。図１１に示すように、第４実施形態の細長スピーカユニット４０は１つの振動板４１を有する。振動板４１は、音の放出面である正面から見て角を落とした長方形であり、２つのコーン型の振動部４２ａ，４２ｂを有する。振動部４２ａ，４２ｂは連結部４２ｃによって連結されている。細長スピーカユニット４０は第１実施形態の細長スピーカユニット１０とは異なり、振動部４２ａ，４２ｂの大きさが互いに異なる。図１１に示す例では、振動部４２ａの方が振動部４２ｂよりも長い。振動板４１の外周端部はエッジ４３によりフレーム４４に固着されている。
【００３６】
図１１より分かるように、振動部４２ａは、ボビン４５ａ及びダストキャップ４６ａの位置が振動部４２ａの長さ方向において連結部４２ｃの中心線ＣＬ側である内側に偏位しているオブリコーン型となっている。第４実施形態では、中心線ＣＬは振動板４１の長さＤの中央には位置していない。また、振動部４２ｂも、ボビン４５ｂ及びダストキャップ４６ｂの位置が振動部４２ｂの長さ方向において中心線ＣＬ側である内側に偏位しているオブリコーン型となっている。第４実施形態の細長スピーカユニット４０においては、線Ｌ１と線Ｌ２との間隔Ｄ４１、線Ｌ２と中心線ＣＬとの間隔Ｄ４２、中心線ＣＬと線Ｌ３との間隔Ｄ４３、線Ｌ３と線Ｌ４との間隔Ｄ４４は次の関係を有する。
Ｄ４１＞Ｄ４２，Ｄ４３＜Ｄ４４，Ｄ４１＞Ｄ４４，Ｄ４２＞Ｄ４３
【００３７】
この第４実施形態の細長スピーカユニット４０においても、第１実施形態の細長スピーカユニット１０と同様、振動部４２ａ，４２ｂはそれぞれオブリコーン型であるので、分割振動を従来のスピーカユニットと比較して低減させることができる。さらに、振動部４２ａ，４２ｂの大きさが異なるので、振動部４２ａ，４２ｂそれぞれで分割振動が発生する共振周波数が互いに異なることになる。従って、第４実施形態の細長スピーカユニット４０は、第１実施形態の細長スピーカユニット１０よりもさらに分割振動を低減させることが可能である。
【００３８】
次に、第４実施形態の細長スピーカユニット４０独特の音の放射パターンを考慮し、細長スピーカユニット４０を画像表示装置に対してどのように装着して使用するのが好適であるかについて説明する。図１２（Ａ）は細長スピーカユニット４０を長さ方向の端部から見た概略平面図であり、図１２（Ｂ）は細長スピーカユニット４０の長さ方向を横方向に配置して側面から見た概略平面図である。図１２（Ａ）に示すように、細長スピーカユニット４０から発せられる音の放射パターンは長さ方向の端部から見ると図３（Ａ）に示す第１実施形態の場合と同じ放射パターンＰ１である。振動部４２ａ，４２ｂはそれぞれボビン４５ａ，４５ｂが中心線ＣＬ側に偏位しているオブリコーン型であるので、図１２（Ｂ）に示すように、振動部４２ａ，４２ｂから発せられる音の放射パターンは側面から見るとそれぞれ外側に偏って広がる放射パターンＰ４２ａ，Ｐ４２ｂとなる。振動部４２ａ，４２ｂの大きさが異なるので、放射パターンＰ４２ａによる音圧は放射パターンＰ４２ｂによる音圧よりも大きい。
【００３９】
第４実施形態の細長スピーカユニット４０は図１２に示すような放射パターンＰ４２ａ，Ｐ４２ｂを有するので、第１の例として、図１３に示すように、画像表示装置４００の画面４０１の下に配置することが好ましい。具体的には、細長スピーカユニット４０をフロントパネル４０２の下部４０２Ｂの左右端部に、より面積の大きい振動部４２ａが互いに内側となるように長さ方向を左右方向として装着して使用することが好ましい。このようにすると、左スピーカとしての細長スピーカユニット４０からは、ハッチングを付した矢印で示すように音が右方向（内側）に放出され、右スピーカとしての細長スピーカユニット４０からは、ハッチングを付した矢印で示すように音が左方向（内側）に放出されることになる。
【００４０】
図１３に示す画像表示装置４００においては、画面４０１中央における優れた音の定位感（いわゆる優れたセンタ定位）を得ることができる。また、面積の小さい振動部４２ｂは振動部４２ａよりも高域が良好に再生されるので、第１実施形態の細長スピーカユニット１０よりも高域再生特性に優れる。さらには、振動部４２ｂが下部４０２Ｂの左右端部に離れているので、左右の高域における良好なセパレーションを得ることができる。
【００４１】
図１４は細長スピーカユニット４０の装着方法を第２の例とした画像表示装置４１０を示している。図１４に示すように、第２の例は、細長スピーカユニット４０をフロントパネル４１２の下部４１２Ｂの左右端部に、より面積の大きい振動部４２ａが互いに外側となるように長さ方向を左右方向として装着して使用するようにしたものである。このようにすると、左スピーカとしての細長スピーカユニット４０からは、ハッチングを付した矢印で示すように音が左方向（外側）に放出され、右スピーカとしての細長スピーカユニット４０からは、ハッチングを付した矢印で示すように音が右方向（外側）に放出されることになる。この図１４に示す画像表示装置４１０においては、中域における優れた音の広がり感を得ることができる。
【００４２】
図１５は細長スピーカユニット４０の装着方法を第３の例とした画像表示装置４２０を示している。図１５に示すように、第３の例は、細長スピーカユニット４０をフロントパネル４２２の左右部４２２Ｌ，４２２Ｒに、面積の小さい振動部４２ｂが上側となるように長さ方向を上下方向として装着して使用するようにしたものである。この図１５に示す画像表示装置４２０においては、図４の場合と同様、左右の細長スピーカユニット４０から上下左右に音が広がって優れた音の広がり感を得ることができる。また、面積の小さい振動部４２ｂにより高域が良好に再生される。なお、細長スピーカユニット４０を振動部４２ｂが下側となるように装着することも可能であるが、図１５のように振動部４２ｂを上側とする方が好ましい。
【００４３】
＜第５実施形態＞
第５実施形態において、第２実施形態との相違点を中心に説明し、共通部分の説明を適宜省略することとする。図１６は本発明の第５実施形態に係る細長スピーカユニットを示す正面図である。図１６に示すように、第５実施形態の細長スピーカユニット５０は１つの振動板５１を有する。振動板５１は、音の放出面である正面から見て角を落とした長方形であり、２つのコーン型の振動部５２ａ，５２ｂを有する。振動部５２ａ，５２ｂは連結部５２ｃによって連結されている。細長スピーカユニット５０は第２実施形態の細長スピーカユニット２０とは異なり、振動部５２ａ，５２ｂの大きさが互いに異なる。図１６に示す例では、振動部５２ａの方が振動部５２ｂよりも長い。振動板５１の外周端部はエッジ５３によりフレーム５４に固着されている。
【００４４】
図１６より分かるように、振動部５２ａは、ボビン５５ａ及びダストキャップ５６ａの位置が振動部５２ａの長さ方向において連結部５２ｃの中心線ＣＬとは反対側である外側に偏位しているオブリコーン型となっている。第５実施形態でも、中心線ＣＬは振動板５１の長さＤの中央には位置していない。また、振動部５２ｂも、ボビン５５ｂ及びダストキャップ５６ｂの位置が振動部５２ｂの長さ方向において中心線ＣＬとは反対側である外側に偏位しているオブリコーン型となっている。第５実施形態の細長スピーカユニット５０においては、線Ｌ１と線Ｌ２との間隔Ｄ５１、線Ｌ２と中心線ＣＬとの間隔Ｄ５２、中心線ＣＬと線Ｌ３との間隔Ｄ５３、線Ｌ３と線Ｌ４との間隔Ｄ５４は次の関係を有する。
Ｄ５１＜Ｄ５２，Ｄ５３＞Ｄ５４，Ｄ５１＞Ｄ５４，Ｄ５２＞Ｄ５３
【００４５】
この第５実施形態の細長スピーカユニット５０においても、第２実施形態の細長スピーカユニット１０と同様、振動部５２ａ，５２ｂはそれぞれ駆動中心を偏位させたオブリコーン型であるので、分割振動を従来のスピーカユニットと比較して低減させることができる。さらに、振動部５２ａ，５２ｂの大きさが異なるので、第２実施形態の細長スピーカユニット１０よりもさらに分割振動を低減させることが可能である。
【００４６】
次に、第５実施形態の細長スピーカユニット５０独特の音の放射パターンを考慮し、細長スピーカユニット５０を画像表示装置に対してどのように装着して使用するのが好適であるかについて説明する。細長スピーカユニット５０から発せられる音の放射パターンは長さ方向の端部から見ると図３（Ａ）に示す第１実施形態の場合と同じ放射パターンＰ１である。振動部５２ａ，５２ｂはそれぞれボビン５５ａ，５５ｂが中心線ＣＬとは反対の外側に偏位しているオブリコーン型であるので、図６と同様、振動部５２ａ，５２ｂから発せられる音の放射パターンは側面から見るとそれぞれ内側に偏って広がる放射パターンとなる。但し、振動部５２ａ，５２ｂの大きさが異なるので、振動部５２ａからの放射パターンによる音圧は振動部５２ｂからの放射パターンによる音圧よりも大きい。
【００４７】
第５実施形態の細長スピーカユニット５０は上記のような放射パターンを有するので、図１７に示すように、細長スピーカユニット５０を画像表示装置５００の画面５０１の左右に配置することが好ましい。具体的には、細長スピーカユニット５０をフロントパネル５０２の左右部５０２Ｌ，５０２Ｒに長さ方向を上下方向として装着して使用することが好ましい。図１６では振動部５２ａを上側に配置しているが、振動部５２ｂを上側に配置してもよい。
【００４８】
細長スピーカユニット５０においては、振動部５２ａ，５２ｂから発せられる音の放射パターンは共に中心線ＣＬ側に偏るので、図１７に示すように、放射パターンが合成されて、ハッチングを付した矢印で示すように音が細長スピーカユニット２０の長さ方向の中心から前方に放出されることになる。画像表示装置５００においては、振動部５２ａ，５２ｂにおける長さ方向の内側に明確な定位が得られる。図１７においては、左右の細長スピーカユニット５０の上部にツイータ５０３を装着した例を示している。ツイータ５０３からは全方向に音が広がる。
【００４９】
＜第６実施形態＞
第６実施形態において、第３実施形態との相違点を中心に説明し、共通部分の説明を適宜省略することとする。図１８は本発明の第６実施形態に係る細長スピーカユニットを示す正面図である。図１８に示すように、第６実施形態の細長スピーカユニット６０は１つの振動板６１を有する。振動板６１は、音の放出面である正面から見て角を落とした長方形であり、２つのコーン型の振動部６２ａ，６２ｂを有する。振動部６２ａ，６２ｂは連結部６２ｃによって連結されている。細長スピーカユニット６０は第３実施形態の細長スピーカユニット３０とは異なり、振動部６２ａ，６２ｂの大きさが互いに異なる。図１８に示す例では、振動部６２ａの方が振動部６２ｂよりも長い。振動板６１の外周端部はエッジ６３によりフレーム６４に固着されている。
【００５０】
図１８より分かるように、振動部６２ａは、ボビン６５ａ及びダストキャップ６６ａの位置が振動部６２ａの長さ方向において連結部６２ｃの中心線ＣＬ側である内側に偏位しているオブリコーン型となっている。第６実施形態でも、中心線ＣＬは振動板６１の長さＤの中央には位置していない。また、振動部６２ｂは、ボビン６５ｂ及びダストキャップ６６ｂの位置が振動部６２ｂの長さ方向において中心線ＣＬとは反対側である外側に偏位しているオブリコーン型となっている。第６実施形態の細長スピーカユニット６０においては、線Ｌ１と線Ｌ２との間隔Ｄ６１、線Ｌ２と中心線ＣＬとの間隔Ｄ６２、中心線ＣＬと線Ｌ３との間隔Ｄ６３、線Ｌ３と線Ｌ４との間隔Ｄ６４は次の関係を有する。
Ｄ６１＞Ｄ６２，Ｄ６３＞Ｄ６４，Ｄ６１＞Ｄ６３，Ｄ６２＞Ｄ６４
【００５１】
この第６実施形態の細長スピーカユニット６０においても、第３実施形態の細長スピーカユニット３０と同様、振動部６２ａ，６２ｂはそれぞれ駆動中心を偏位させたオブリコーン型であるので、分割振動を従来のスピーカユニットと比較して低減させることができる。さらに、振動部６２ａ，６２ｂの大きさが異なるので、第３実施形態の細長スピーカユニット３０よりもさらに分割振動を低減させることが可能である。
【００５２】
次に、第６実施形態の細長スピーカユニット６０独特の音の放射パターンを考慮し、細長スピーカユニット６０を画像表示装置に対してどのように装着して使用するのが好適であるかについて説明する。細長スピーカユニット６０から発せられる音の放射パターンは長さ方向の端部から見ると図３（Ａ）に示す第１実施形態の場合と同じ放射パターンＰ１である。振動部６２ａ，６２ｂはそれぞれボビン６５ａ，６５ｂ（駆動中心）が長さ方向の一方の端部側に偏位しているオブリコーン型であるので、振動部６２ａ，６２ｂから発せられる音の放射パターンは駆動中心が偏位している方向とは逆方向に偏る放射パターンとなる。但し、振動部６２ａ，６２ｂの大きさが異なるので、振動部６２ａからの放射パターンによる音圧は振動部６２ｂからの放射パターンによる音圧よりも大きい。
【００５３】
第６実施形態の細長スピーカユニット３０は上記のような放射パターンを有するので、図１９に示すように、細長スピーカユニット６０を画像表示装置６００の画面６０１の下に配置することが好ましい。具体的には、細長スピーカユニット６０をフロントパネル６０２の下部６０２Ｂの左右方向の端部に長さ方向を左右方向として装着して使用することが好ましい。さらに具体的には、細長スピーカユニット６０を、振動部６２ａを外側にした状態でボビン６５ａ，６５ｂが右側（内側）に偏位した向きとして左スピーカとして下部６０２Ｂの左端部に装着し、振動部６２ａを外側にした状態でボビン６５ａ，６５ｂが左側（内側）に偏位した向きとして右スピーカとして下部６０２Ｂの右端部に装着する。このようにすると、左右の細長スピーカユニット６０からは、ハッチングを付した矢印で示すように音が左右方向に放出されることになる。
【００５４】
図１９に示す画像表示装置６００においては、下部６０２Ｂの中央部にセンタスピーカ６０３を装着している。センタスピーカ６０３は必須ではないが、設ける方が好ましい。細長スピーカユニット６０をフロントパネル６０２の下部６０２Ｂの左右端部に図１９のように装着すれば、優れた音の広がり感を得ることができる。センタスピーカ６０３も装着すれば画面６０１中央における音の定位感を向上させることができる。
【００５５】
＜第７実施形態＞
第７実施形態において、第１〜第６実施形態との相違点を中心に説明し、共通部分の説明を適宜省略することとする。図２０は本発明の第７実施形態に係る細長スピーカユニットを示す側面図である。第７実施形態の細長スピーカユニット７０は基本的な構成は第１〜第６実施形態の細長スピーカユニット１０，２０，３０，４０，５０，６０と共通である。第１〜第６実施形態の細長スピーカユニット１０，２０，３０，４０，５０，６０においてはトッププレート１７を２つの振動部それぞれに対して独立に設けていたが、細長スピーカユニット７０においては２つの振動部に対して共通の１つのトッププレート１７０を設けている点で相違している。第７実施形態の細長スピーカユニット７０によれば、機械的な強度を向上させることができる。特にフレーム１４（２４，３４，４４，５４，６４）が樹脂等の非金属で形成されている場合には強度の補強となるので有効である。また、フレーム１４（２４，３４，４４，５４，６４）にトッププレート１７０を固着する際の工数を削減することができる。
【００５６】
＜周波数特性の比較＞
ここで、図２１を用いて、本発明に係る細長スピーカユニットの実施形態と従来例の細長スピーカユニットとの周波数特性を比較する。図２１においては、上述した第１〜第６実施形態の細長スピーカユニット１０，２０，３０，４０，５０，６０の内、代表として第４実施形態の細長スピーカユニット４０の周波数特性を示している。図２１（Ａ）は第４実施形態の細長スピーカユニット４０の周波数特性である。図２１（Ｂ）はいわゆるトラック型と称されている振動板にトラック型の同じ大きさの２つの振動部を有する細長スピーカユニットであり、２つの振動部がいずれもオブリコーン型となっていない従来例の周波数特性である。
【００５７】
２つの振動部がオブリコーン型となっていない従来例の細長スピーカユニットにおいては、図２１（Ｂ）に破線の丸で囲んで示すように、７〜１０ｋＨｚで音圧レベルが低く、音声がこもったような再生音となってしまう。これに対して図２１（Ａ）に示す第４実施形態の細長スピーカユニット４０においては、７〜１０ｋＨｚで音圧レベルがほぼフラットであり、音声がこもることなく明瞭な再生音とすることができる。
【００５８】
ここでは第４実施形態の細長スピーカユニット４０の周波数特性のみ示したが、第１〜第３，第５，第６実施形態の細長スピーカユニット１０，２０，３０，５０，６０においても図２１（Ｂ）の従来例と比較して良好な周波数特性を得ることができる。
【００５９】
＜変形例＞
以上説明した各実施形態においては、１つの振動板に２つの振動部を備える構成を示したが、１つの振動板に３つまたはそれ以上の振動部を備えていてもよい。この場合、３つまたはそれ以上の振動部における２つの振動部が上述した各実施形態の構成となっていればよい。また、各実施形態の細長スピーカユニットはテレビジョン受像機のような画像表示装置に用いて好適であるが、オーディオ機器に装着するスピーカユニットとして使用してもよい。
本発明は本発明の要旨を逸脱しない範囲において種々変更可能であり、本発明は上述した各実施形態に限定されるものではない。
【図面の簡単な説明】
【００６０】
【図１】本発明の第１実施形態に係る細長スピーカユニットを示す正面図である。
【図２】図１の細長スピーカユニットの側面部分断面図である。
【図３】図１の細長スピーカユニットの音の放射パターンを示す概略平面図である。
【図４】図１の細長スピーカユニットを装着した画像表示装置の例を示す正面図である。
【図５】本発明の第２実施形態に係る細長スピーカユニットを示す正面図である。
【図６】図５の細長スピーカユニットの音の放射パターンを示す概略平面図である。
【図７】図５の細長スピーカユニットを装着した画像表示装置の例を示す斜視図である。
【図８】本発明の第３実施形態に係る細長スピーカユニットを示す正面図である。
【図９】図８の細長スピーカユニットの音の放射パターンを示す概略平面図である。
【図１０】図８の細長スピーカユニットを装着した画像表示装置の例を示す正面図である。
【図１１】本発明の第４実施形態に係る細長スピーカユニットを示す正面図である。
【図１２】図１１の細長スピーカユニットの音の放射パターンを示す概略平面図である。
【図１３】図１１の細長スピーカユニットを装着した画像表示装置の第１の例を示す正面図である。
【図１４】図１１の細長スピーカユニットを装着した画像表示装置の第２の例を示す正面図である。
【図１５】図１１の細長スピーカユニットを装着した画像表示装置の第３の例を示す正面図である。
【図１６】本発明の第５実施形態に係る細長スピーカユニットを示す正面図である。
【図１７】図１６の細長スピーカユニットを装着した画像表示装置の例を示す斜視図である。
【図１８】本発明の第６実施形態に係る細長スピーカユニットを示す正面図である。
【図１９】図１８の細長スピーカユニットを装着した画像表示装置の例を示す正面図である。
【図２０】本発明の第７実施形態に係る細長スピーカユニットを示す正面図である。
【図２１】本発明の実施形態における周波数特性と従来例における周波数特性とを比較するための特性図である。
【符号の説明】
【００６１】
１０，２０，３０，４０，５０，６０，７０  細長スピーカユニット
１１，２１，３１，４１，５１，６１  振動板
１２ａ，１２ｂ，２２ａ，２２ｂ，３２ａ，３２ｂ，４２ａ，４２ｂ，５２ａ，５２ｂ，６２ａ，６２ｂ  振動部
１４，２４，３４，４４，５４，６４  フレーム
１５ａ，１５ｂ，２５ａ，２５ｂ，３５ａ，３５ｂ，４５ａ，４５ｂ，５５ａ，５５ｂ，６５ａ，６５ｂ  ボビン
１６ａ，１６ｂ，２６ａ，２６ｂ，３６ａ，３６ｂ，４６ａ，４６ｂ，５６ａ，５６ｂ，６６ａ，６６ｂ  ダストキャップ
１７，１７０  トッププレート
１８  マグネット
１９  ボトムヨーク
１００，２００，３００，４００，４１０，４２０，５００，６００  画像表示装置
１０１，２０１，３０１，４０１，４１１，４２１，５０１，６０１  表示画面
１０２，２０２，３０２，４０２，４１２，４２２，５０２，６０２  フロントパネル
１０２Ｌ，１０２Ｒ，２０２Ｌ，２０２Ｒ，４２２Ｌ，４２２Ｒ，５０２Ｌ，５０２Ｒ  左右部
１１０  ポールピース
１１１  ダンパ
３０２Ｂ，４０２Ｂ，４１２Ｂ，６０２Ｂ  下部
【図１】
2007288767.tif 000003
【図２】
2007288767.tif 000004
【図３】
2007288767.tif 000005
【図４】
2007288767.tif 000006
【図５】
2007288767.tif 000007
【図６】
2007288767.tif 000008
【図７】
2007288767.tif 000009
【図８】
2007288767.tif 000010
【図９】
2007288767.tif 000011
【図１０】
2007288767.tif 000012
【図１１】
2007288767.tif 000013
【図１２】
2007288767.tif 000014
【図１３】
2007288767.tif 000015
【図１４】
2007288767.tif 000016
【図１５】
2007288767.tif 000017
【図１６】
2007288767.tif 000018
【図１７】
2007288767.tif 000019
【図１８】
2007288767.tif 000020
【図１９】
2007288767.tif 000021
【図２０】
2007288767.tif 000022
【図２１】
2007288767.tif 000023
【手続補正書】
【提出日】平成19年9月12日(2007.9.12)
【手続補正１】
【補正対象書類名】明細書
【補正対象項目名】０００５
【補正方法】変更
【補正の内容】
【０００５】
【特許文献１】特開平６−２６９０８６号公報
【特許文献２】特開平８−１５４２９６号公報
【特許文献３】実開平６−１３２９４号公報
【特許文献４】特開平９−２８４８８６号公報
【特許文献５】実公平７−９４８５号公報
【手続補正２】
【補正対象書類名】明細書
【補正対象項目名】００２０
【補正方法】変更
【補正の内容】
【００２０】
次に、第１実施形態の細長スピーカユニット１０独特の音の放射パターンを考慮し、細長スピーカユニット１０を画像表示装置に対してどのように装着して使用するのが好適であるかについて説明する。図３（Ａ）は細長スピーカユニット１０を長さ方向の端部から見た概略平面図であり、図３（Ｂ）は細長スピーカユニット１０の長さ方向を縦方向に配置して側面から見た概略平面図である。一般的に細長スピーカユニットの指向性は長さ方向よりも幅方向の方が広いので、細長スピーカユニット１０においても、細長スピーカユニット１０から発せられる音の放射パターンは長さ方向の端部から見ると図３（Ａ）に示すような放射パターンＰ１となる。振動部１２ａ，１２ｂはそれぞれボビン１５ａ，１５ｂが中心線ＣＬ側に偏位しているオブリコーン型であるので、図３（Ｂ）に示すように、振動部１２ａから発せられる音の放射パターンは側面から見ると上方に偏る放射パターンＰ１２ａとなり、振動部１２ｂから発せられる音の放射パターンは側面から見ると下方に偏る放射パターンＰ１２ｂとなる。
【手続補正３】
【補正対象書類名】明細書
【補正対象項目名】００２８
【補正方法】変更
【補正の内容】
【００２８】
従って、細長スピーカユニット２０をフロントパネル２０２の下部２０２Ｂの中央に装着した画像表示装置２００においては、優れた音の定位感を得ることができる。なお、左右部２０２Ｌ，２０２Ｒに装着する細長スピーカユニットは特に限定されるものではないが、例えば第１実施形態の細長スピーカユニット１０を用いればよい。
【手続補正４】
【補正対象書類名】明細書
【補正対象項目名】００４７
【補正方法】変更
【補正の内容】
【００４７】
第５実施形態の細長スピーカユニット５０は上記のような放射パターンを有するので、図１７に示すように、細長スピーカユニット５０を画像表示装置５００の画面５０１の左右に配置することが好ましい。具体的には、細長スピーカユニット５０をフロントパネル５０２の左右部５０２Ｌ，５０２Ｒに長さ方向を上下方向として装着して使用することが好ましい。図１７では振動部５２ａを上側に配置しているが、振動部５２ｂを上側に配置してもよい。
【手続補正５】
【補正対象書類名】明細書
【補正対象項目名】００５３
【補正方法】変更
【補正の内容】
【００５３】
第６実施形態の細長スピーカユニット６０は上記のような放射パターンを有するので、図１９に示すように、細長スピーカユニット６０を画像表示装置６００の画面６０１の下に配置することが好ましい。具体的には、細長スピーカユニット６０をフロントパネル６０２の下部６０２Ｂの左右方向の端部に長さ方向を左右方向として装着して使用することが好ましい。さらに具体的には、細長スピーカユニット６０を、振動部６２ａを外側にした状態でボビン６５ａ，６５ｂが右側（内側）に偏位した向きとして左スピーカとして下部６０２Ｂの左端部に装着し、振動部６２ａを外側にした状態でボビン６５ａ，６５ｂが左側（内側）に偏位した向きとして右スピーカとして下部６０２Ｂの右端部に装着する。このようにすると、左右の細長スピーカユニット６０からは、ハッチングを付した矢印で示すように音が左右方向に放出されることになる。
【手続補正６】
【補正対象書類名】図面
【補正対象項目名】図１６
【補正方法】変更
【補正の内容】
【図１６】
2007288767.tif 000024